(57)【要約】【課題】  レーザー三脚の取り外し式ヘッド部を吊り下げ可能で、かつ三脚運搬時の肩掛けベルトにもなるレーザー三脚用多目的ストラップを提供すること。【解決手段】  ヘッド部と基部とを有する三脚と共に使用される多目的ストラップが、柔軟部材と、柔軟部材の端部に設けられた第一連結構成要素と、柔軟部材の反対側の端部に設けられた第二連結構成要素とを含む。柔軟部材は、第一の構造形にあるとき、第一連結構成要素を使用してヘッド部に連結されることに適合できる。柔軟部材は、第二の構造形にあるとき、肩掛けバンドを形成するために、第二結合部材を使用して三脚基部にも連結されることに適合できる。【選択図】      図１
2005140781.tif 000002
【特許請求の範囲】
【請求項１】
ヘッド部と三脚基部とを有するレーザー三脚と共に使用する多目的ストラップであって：
第一の構造形と第二の構造形とを有する柔軟部材と；
前記柔軟部材の第一端部に設けられた第一連結構成要素と；
前記柔軟部材の第二端部に設けられた第二連結構成要素と；を具備する多目的ストラップにおいて、
柔軟部材は、前記第一の構造形にあるとき、ヘッド部に連結されることと、第一連結構成要素を使って柔軟部材に連結されることとに適合できて、前記ヘッド部を吊り下げることに使用可能であり、また前記第二の構造形にあるとき、前記ヘッド部から前記三脚基部に延びる肩掛けストラップを形成するために、前記柔軟部材は、第二連結構成要素を使って三脚基部に更に連結されるように適合できる、多目的ストラップ。
【請求項２】
前記第一連結構成要素と前記第二連結構成要素との間における前記柔軟部材のループ部分に係合する長さ調節機構を更に具備する、請求項１に記載の多目的ストラップであって、前記長さ調節機構は、前記ループ部分のサイズを調節可能に変化させるために前記柔軟部材に係合することができるものである、多目的ストラップ。
【請求項３】
前記第一及び第二連結構成要素がそれぞれ本体を含み、該本体が開口と該本体から延びるフック部分とを有する、請求項１に記載の多目的ストラップ。
【請求項４】
多目的ストラップを有するレーザー三脚であって：
当該三脚基部から延びる複数の脚をもつ三脚基部と；
前記三脚基部に付加的に搭載されるレーザーヘッドと；
多目的ストラップと；を具備するレーザー三脚において、
多目的ストラップが：
柔軟部材と；
柔軟部材の第一端部に設けられた第一連結構成要素と；
柔軟部材の第二端部に設けられた第二連結構成要素と；を具備し、
また前記多目的ストラップが、前記レーザーヘッドを吊り下げるように形成可能であり、かつ前記第一及び第二連結構成要素を使って前記レーザー三脚用の肩掛けストラップとして機能するように形成可能である、多目的ストラップを有するレーザー三脚。
【請求項５】
前記柔軟部材の第一端部が前記レーザーヘッドのスロットに貫通挿入される、請求項４に記載の多目的ストラップを有するレーザー三脚。
【請求項６】
前記柔軟部材の前記第二端部が前記三脚基部の周りに巻き付けられる、請求項５に記載の多目的ストラップを有するレーザー三脚。
【請求項７】
前記第一及び第二連結構成要素の各々が本体を含み、該本体が開口と該本体から伸びるフック部分とを有する、請求項４に記載の多目的ストラップを有するレーザー三脚。
【請求項８】
開口を含んだハウジングと；
前記ハウジングから外に可視レーザー光線を発射するために前記ハウジングに配設されたレーザー水準測量用光源と；
前記ハウジングを吊り下げるために、前記ハウジングの前記開口に係合するストラップと；を具備するレーザーレベル。
【請求項９】
前記ストラップが、前記ハウジングの吊り下げ高さを調節するための長さ調節機構を含む、請求項８に記載のレーザーレベル。
【請求項１０】
前記ストラップが、第一及び第二端部を含み、該第一及び第二端部が、それらにそれぞれ取り付けられた第一及び第二連結具を含む、請求項８に記載のレーザーレベル。
【請求項１１】
前記第一及び第二連結具の各々が、本体部分を含み、該本体部分が、該本体部分を貫通する開口と、該本体部分から延びるフック部分とを有する、請求項１０に記載のレーザーレベル。
【請求項１２】
前記長さ調節機構が、前記ストラップのループ部分に係合し、また前記ループ部分のサイズを調節可能に変化させるために前記柔軟部材に係合できる、請求項９に記載のレーザーレベル。
【発明の詳細な説明】
【技術分野】
【０００１】
本発明は、多目的ストラップ、より詳しくはレーザー三脚用多目的ストラップに関するものである。
【背景技術】
【０００２】
レーザー三脚（例えばレーザーを支持するための三脚基部を有する装置）は当該技術分野で公知である。産業の広範囲にわたって多くの用途で使用されて、レーザー三脚は至るところに存在し、またなお非常に有用である。しかしながら、当該分野における最近の進歩は、２００４年１１月３日に出願された特許の特許文献１に開示されており、前記特許文献１は引用することによりその全体が本明細書に組み入れられる。特許文献１は、三脚基部から取り外し可能なレーザーヘッドを有するレーザー三脚を開示している。更に、前記三脚基部は二つの構造形を有する。第一の構造形では、三脚の脚は外側に延びて丈夫な基部を形成する。第二の構造形では、三脚の脚は、折りたたまれてレーザー三脚のレーザーヘッド部を取り囲み、そのことによりその中に配置された構成要素を保護する。
【０００３】
取り外し式なヘッド部と折り畳み可能な脚との追加された自由度は、レーザー三脚を使用する方法及び場所と、レーザー三脚を安全に運搬する方法及び場所との両方においてこのレーザー三脚に高度の自由度を提供する。
【０００４】
【特許文献１】米国特許出願第６０／５１６７０４号明細書
【発明の開示】
【発明が解決しようとする課題】
【０００５】
従って、レーザー三脚を便利に運搬する一方で、レーザーヘッド部が様々な構造形で使用されることを可能にする手段に対する必要性が本技術分野に残っている。
【課題を解決するための手段】
【０００６】
ヘッド部と基部とを有する三脚と共に使用される多目的ストラップが、柔軟部材と、柔軟部材の端部に設けられた第一連結構成要素と、柔軟部材の反対側の端部に設けられた第二連結構成要素とを含む。柔軟部材は、第一の構造形にあるとき、第一連結構成要素を使用してヘッド部に連結されることに適合できる。柔軟部材は、第二の構造形にあるとき、肩掛けバンドを形成するために、第二結合部材を使用して三脚基部に連結されることにも適合できる。
【０００７】
本発明の更なる適用範囲は、次に記される詳細な説明から明らかになるであろう。詳細な説明及び具体的な例は、本発明の好適な実施例を示す一方で、例示のみを目的として意図され、また本発明の範囲を制限することが意図されているわけではない。
【０００８】
本発明は、詳細な説明と添付図面とからより完全に理解されるであろう。
【発明を実施するための最良の形態】
【０００９】
好適な実施例の以下の説明は、本質的に例示のためだけのものであり、また本発明、その用途、又は使用法を制限することを全く意図していない。
【００１０】
図１を参照すると、本発明の原理によって構築された多目的ストラップ１０が、レーザー三脚１２との運用上の連携状態で図示されている。レーザー三脚１２は折り畳み可能三脚基部１４と取り外し式ヘッド部１６とを通常は含んでいる。折り畳み可能三脚基部１４は複数の脚１５を含んでおり、前記複数の脚１５は、図１に示されるように拡大位置にあるときに三脚を形成するために拡がり、また図４に示されるように折り畳まれて保管構造形を形成する。保管構造形にあるとき、複数の脚１５は、折り畳み可能三脚基部１４と取り外し式ヘッド部１６とを完全に取り囲む。取り外し式ヘッド部１６は、可視レーザー光線を外部に放射するレーザー水準測量機器（非図示）をその中に含んでいる。
【００１１】
図２を参照すると、多目的ストラップ１０は、第一端部２０と第二端部２２とを有する柔軟部材１８を含んでいる。柔軟部材１８は織布ナイロン材料から作られることが好適であるが、他の様々な材料も利用可能である。第一連結具２４Ａが柔軟部材１８の第一端部２０に結合されている。第二連結具２４Ｂが柔軟部材１８の第二端部２２に結合されている。
【００１２】
第一連結具２４Ａ及び第二連結具２４Ｂの各々は、本体２６Ａ、２６Ｂをそれぞれ有し、前記本体２６Ａ、２６Ｂはそれを貫通して形成された穴２８Ａ、２８Ｂを有する。可撓性フック３０Ａ、３０Ｂが本体２６Ａ、２６Ｂから延びている。以下に詳細に説明されるように、可撓性フック３０Ａ、Ｂは柔軟部材１８に係合可能であるようにされている。
【００１３】
多目的ストラップ１０は、柔軟部材１８に装着された調節機構３２を更に含んでいる。調節機構３２は、それを貫通して形成されたスロット３４を含んでおり、前記スロット３４は、柔軟部材１８の一部を受容することにより、柔軟部材１８をループ部分３６と、第一端部２０で終端される第一アーム３８と、第二端部２２で終端される第二アーム４０とに分割する。調節機構３２は、付勢部材（非図示）によって付勢されて柔軟部材１８を把持する打ち込み機構（非図示）を更に含むことによりループ部分３６のサイズを固定する。調節機構３２のボタン４２に係合することによって、柔軟部材１８がスロット３４内で滑動可能になるように把持機構（非図示）が係合解除され、その結果ループ部分３６のサイズが調節可能になる。
【００１４】
（提示された特定の実施例ではリングである）ストッパ４４が柔軟部材１８のループ部分３６に結合されている。ストッパ４４は、調節機構３２のスロット３４より大きく、そのため柔軟部材１８が調節機構３２から外れることを防ぐ。このようになっているので、ループ部分３６が最小であるように柔軟部材１８が調節されるとき、ストッパ４４は調節機構３２に当接する。
【００１５】
ここで図３を参照して多目的ストラップ１０の使用方法が説明される。多くの用途において、取り外し式ヘッド部１６を折り畳み可能三脚基部１４（図１）から分離して吊るすことが望ましい。これに関連して、多目的ストラップ１０は、取り外し式ヘッド部１６を、支持部材４６として概略的に図示される任意の物体から吊り下げることに使用可能である。これに関連して、ヘッド部１６は開口４８を含んでおり、前記開口４８は、それを貫通して第二連結具２４Ｂと第二アーム４０とを受容するように大きさを決められている。そして可撓性フック３０Ｂは、撓ませられて、その中に第二アーム４０を受容して第二連結具２４Ｂを第二アーム４０に摩擦固定することにより、ヘッド部１６を多目的ストラップ１０の端部で支持する。ヘッド部１６を吊るすために、第一端部２０は支持部材４６に固定される。提示された特定の実施例では、釘５０が第一連結具２４Ａの穴２８Ａを通って打ち込まれる。ヘッド部１６が支持部材４６の下に吊り下がる高さは、調節機構３２を使用してループ部分３６の大きさを調節することによって調節可能である。
【００１６】
図３Ｂを参照すると、ヘッド部１６を吊り下げる代替構造形が図示されている。この代替構造形では、多目的ストラップ１０は、ヘッド部１６に形成された開口４８を通って延びて、第一端部２０及び第二端部２２の両方が支持部材４６に固定される。提示された特定の実施例では、やはり釘５０が穴２８Ａ、２８Ｂ（図２）を通って打ち込まれる。更に、図３Ｃに示されるように、ヘッド部１６の吊り下げ高さは、調節機構３２のボタン４２に係合することによって柔軟部材１８が調節機構３２に対して滑動することを可能にして、ループ部分３６のサイズを大きくすることにより調節される。
【００１７】
ここで図３Ｄを参照すると、多目的ストラップ１０の他の吊り下げ構造形が示されている。第二端部２２及び第二連結具２４Ｂがヘッド部１６の開口４８を通って延び、かつ可撓性フック３０Ｂが柔軟部材１８の第二アーム４０に結合されることにより、ヘッド部１６が多目的ストラップ１０に確保される。多目的ストラップ１０は、第一アーム３８を支持部材４６の周りに巻き付けて、可撓性フック３０Ａを使用して第一連結具２４Ａを第一アーム３８に結合することによって支持部材４６に固定される。やはり、ヘッド部１６の吊り下げ高さは、調節機構３２のボタン４２に係合してループ部分３６のサイズを調節することによって調節される。この構造形では、多目的ストラップ１０を支持部材４６に取り付けるために、（例えば釘５０のような）追加的な留め具は必要とされない。
【００１８】
多目的ストラップ１０は、前述の段落においては支持部材４６に結合されるように解説されたが、多目的ストラップ１０が、留め具によって又は多目的ストラップ１０それ自身を使うことによって任意の所与の表面に取り付け可能であることが理解されるはずである。更に、ファスナーとして釘５０の使用が説明されたが、他の様々な締結デバイス、例えばねじ及び接着剤等が利用されてもよい。
【００１９】
図４を参照すると、多目的ストラップ１０がレーザー三脚１２との運用上の連携状態で示されている。レーザー三脚１２は、折り畳まれた保管構造形にある。この保管構造形において、脚１５はヘッド部（図１）を完全に取り囲む。レーザー三脚１２を全体的に囲む溝５２が複数の脚１５に形作られる。柔軟部材１８の第一アーム３８は、複数の脚１５の溝５２の周りに巻き付き、また第一連結具２４Ａは可撓性フック３０Ａを使用して第一アーム３８に結合される。柔軟部材１８の第二端部２２は、複数の脚１５における穴５４を通って延び、またヘッド部１６の開口４８（図３Ａ）を通って延びる。そのとき第二連結具２４Ｂは可撓性フック３０Ｂを使用して第二アーム４０に結合される。このように、多目的ストラップ１０はその両端部でレーザー三脚１２に確保されて、使用者が多目的ストラップ１０だけを使用してレーザー三脚１２を運ぶことを可能にする肩掛けベルトを形成する。
【００２０】
本発明の説明は、本質的に例示のためだけであり、また従って本発明の主旨から逸脱しない変形形態が本発明の範囲にあることが意図される。そのような変形形態は、本発明の精神及び範囲からの逸脱とはみなされるべきではない。
【図面の簡単な説明】
【００２１】
【図１】本発明の原理に従って構築された多目的ストラップの斜視図であり、例示的なレーザー三脚との運用上の連携状態で示された斜視図である。
【図２】図１に示された多目的ストラップの拡大斜視図である。
【図３Ａ】多目的ストラップの第一の構造形における斜視図であり、レーザー三脚の取り外し式ヘッド部との運用上の連携状態で示された斜視図である。
【図３Ｂ】多目的ストラップの第二の構造形における側面図であり、レーザー三脚の取り外し式ヘッド部との運用上の連携状態で示された側面図である。
【図３Ｃ】取り外し式ヘッド部が異なる高さでぶら下がるように調節された第二の構造形における多目的ストラップの側面図である。
【図３Ｄ】多目的ストラップの第三の構造形における側面図であり、レーザー三脚の取り外し式ヘッド部との運用上の連携状態で示された側面図である。
【図４】運搬構造形における多目的ストラップの斜視図であって、保管状態にあるレーザー三脚との運用上の連携状態で示された斜視図である。
【符号の説明】
【００２２】
１０    多目的ストラップ
１２    レーザー三脚
１６    ヘッド部
１８    柔軟部材
２０    第一端部
２２    第二端部
２４Ａ    第一連結具
２４Ｂ    第二連結具
３２    調節機構
３６    ループ部分
【図１】
2005140781.tif 000003
【図２】
2005140781.tif 000004
【図３Ａ】
2005140781.tif 000005
【図３Ｂ】
2005140781.tif 000006
【図３Ｃ】
2005140781.tif 000007
【図３Ｄ】
2005140781.tif 000008
【図４】
2005140781.tif 000009
【外国語明細書】
2005140781000001.pdf